(57)【要約】【課題】電子ペーパーの市場へＴＦＴ液晶を用いた製品で参入するために、ＴＦＴ液晶の表示時の消費電力を大きく削減することを課題とする。【解決手段】マトリクス状に配置された画素を表示するためのＴＦＴ液晶を駆動する回路であり、複数のゲート電極と複数のソース電極とコモン電極を駆動する回路を有し、元電源電圧を整数倍に昇圧する昇圧回路、および中間電位を生成するためのアンプを有し、前記コモン電極の駆動信号は元電源電圧を整数倍に昇圧した電位をそのまま駆動電位として生成し、ＴＦＴ液晶の全画面をスキャンする頻度は、１秒間で５回よりも少ない事を特徴とするＴＦＴ液晶駆動回路。【選択図】図１
2011085801.tif 000002
【特許請求の範囲】
【請求項１】
マトリクス状に配置された画素を表示するためのＴＦＴ液晶を駆動する回路であり、複数のゲート電極と複数のソース電極とコモン電極を駆動する回路を有し、元電源電圧を整数倍に昇圧する昇圧回路、および中間電位を生成するためのアンプを有し、前記コモン電極の駆動信号は元電源電圧を整数倍に昇圧した電位をそのまま駆動電位として生成することを特徴とするＴＦＴ液晶駆動回路。
【請求項２】
前記ソース電極の駆動信号の高電位側駆動電位が、前記コモン信号の高電位側駆動電位と同じである事を特徴とする、請求項１に記載のＴＦＴ液晶駆動回路。
【請求項３】
前記ＴＦＴ液晶の全画面をスキャンする頻度は、１秒間で５回よりも少ない事を特徴とする請求項２に記載のＴＦＴ液晶駆動回路。
【請求項４】
前記昇圧回路と前記アンプは、ＴＦＴ液晶画面全体をスキャンするのに要する時間よりも長い時間、動作を停止させることを特徴とする請求項３に記載のＴＦＴ液晶駆動回路。
【請求項５】
マトリクス状に配置された画素を表示するためのＴＦＴ液晶を駆動する方法であり、複数のゲート電極と複数のソース電極とコモン電極を駆動する手段を有し、元電源電圧を整数倍に昇圧する昇圧手段、および中間電位を生成する手段を有し、前記コモン電極の駆動信号は元電源電圧を整数倍に昇圧した電位をそのまま駆動電位として生成することを特徴とするＴＦＴ液晶駆動方法。
【請求項６】
前記ソース電極の駆動信号の高電位側駆動電位が、前記コモン信号の高電位側駆動電位と同じである事を特徴とする、請求項５に記載のＴＦＴ液晶駆動方法。
【請求項７】
前記ＴＦＴ液晶の全画面をスキャンする頻度は、１秒間で５回よりも少ない事を特徴とする請求項６に記載のＴＦＴ液晶駆動方法。
【請求項８】
前記昇圧回路と前記アンプは、ＴＦＴ液晶画面全体をスキャンするのに要する時間よりも長い時間、動作を停止させることを特徴とする請求項７に記載のＴＦＴ液晶駆動方法。
【発明の詳細な説明】
【技術分野】
【０００１】
本発明は、マトリクス状に配置された画素を表示するためのＴＦＴ液晶駆動回路、及びＴＦＴ液晶駆動方法に関する。
【背景技術】
【０００２】
近年普及している携帯電話や個人携帯端末にはＴＦＴ液晶表示パネルが多く用いられている。バッテリーで長時間駆動するために消費電力を低く抑える必要があり、ＴＦＴ液晶駆動回路にはさまざまな低消費電力の工夫が盛り込まれている。その低消費電力の工夫は、例えばパーシャル表示駆動であったり色数を減らした２値駆動であったりする（例えば、特許文献１参照。）。
【先行技術文献】
【特許文献】
【０００３】
【特許文献１】特開２００８−３２９１９
【発明の概要】
【発明が解決しようとする課題】
【０００４】
ＴＦＴ駆動回路には、さまざまな低消費電力の工夫が各社によって施されているが、近年開発が進められている電子ペーパー等と比較すると表示中の電力差は歴然として大きく、電子ペーパー独自の市場にＴＦＴ液晶が入り込む余地は無いかのように思われがちである。本発明は、表示中の電力消費がゼロという電子ペーパーの市場に入り込む事のできる、超低消費電力のＴＦＴ液晶駆動を実現する事を目的とする。
【課題を解決するための手段】
【０００５】
第１の発明は、マトリクス状に配置された画素を表示するためのＴＦＴ液晶を駆動する回路であり、複数のゲート電極と複数のソース電極とコモン電極を駆動する回路を有し、元電源電圧を整数倍に昇圧する昇圧回路、および中間電位を生成するためのアンプを有し、コモン電極の駆動信号は元電源電圧を整数倍に昇圧した電位をそのまま駆動電位として生成する。
【０００６】
第２の発明は、上記第１の発明において、ソース電極の駆動信号の高電位側駆動電位が、コモン信号の高電位側駆動電位と同じである。
【０００７】
第３の発明は、上記第２の発明において、ＴＦＴ液晶の全画面をスキャンする頻度は、１秒間で５回よりも少ないこと。
【０００８】
第４の発明は、上記第３の発明において、昇圧回路とアンプは、ＴＦＴ液晶画面全体をスキャンするのに要する時間よりも長い時間、動作を停止させること。
【０００９】
第５の発明は、マトリクス状に配置された画素を表示するためのＴＦＴ液晶を駆動する方法であり、複数のゲート電極と複数のソース電極とコモン電極を駆動する手段を有し、元電源電圧を整数倍に昇圧する昇圧手段、および中間電位を生成する手段を有し、コモン電極の駆動信号は元電源電圧を整数倍に昇圧した電位をそのまま駆動電位として生成することを特徴とするＴＦＴ液晶駆動方法。
【００１０】
第６の発明は、上記第５の発明において、ソース電極の駆動信号の高電位側駆動電位が、コモン信号の高電位側駆動電位と同じであること。
【００１１】
第７の発明は、上記第６の発明において、ＴＦＴ液晶の全画面をスキャンする頻度は、１秒間で５回よりも少ないこと。
【００１２】
第８の発明は、上記第７の発明において、昇圧回路とアンプは、ＴＦＴ液晶画面全体をスキャンするのに要する時間よりも長い時間、動作を停止させること。
【発明の効果】
【００１３】
本発明によれば、ＴＦＴ液晶駆動に要する消費電力を飛躍的に減らす事ができるので、ＴＦＴ液晶駆動装置を電子ペーパーの市場にも使えるという効果がある。ＴＦＴ液晶パネルは既に量産効果が発揮されて安価に入手できる上、動作温度範囲もマイナス２０度からプラス５０度程度まで、安定して表示駆動できるという利点がある。
【図面の簡単な説明】
【００１４】
【図１】本発明による、ＴＦＴ液晶駆動の実施例を示すブロック図である。
【図２】一般的なＴＦＴ液晶パネルの駆動信号接続図である。
【図３】一般的なＴＦＴ液晶パネルのトランジスタ接続図である。
【図４】一般的なＴＦＴ液晶パネルの駆動信号電位図である。
【図５】本発明による、ＴＦＴ液晶パネルの駆動信号電位図である。
【図６】昇圧電位と液晶駆動電位の関係を示す表である。
【図７】本発明による、画素電極の電圧と液晶反射率の関係を示すグラフである。
【図８】本発明による、コモン信号とソース信号の電圧振幅の関係を示す図である。
【図９】本発明による、低消費電力化を説明する図である。
【発明を実施するための形態】
【００１５】
超低消費電力のＴＦＴ液晶駆動を実現する為に、複数のゲート電極と複数のソース電極とコモン電極を駆動する回路を有し、元の電源電圧を整数倍に昇圧する昇圧回路、および中間電位を生成するためのアンプを有し、コモン電極の駆動信号は元の電源電圧を整数倍に昇圧した電位をそのまま駆動電位として生成する。また、ソース電極の高電位側駆動電位は、コモン電極の高電位側駆動電位と同じ電位を用いて２値駆動とする。また、ＴＦＴ液晶の全画面をスキャンする頻度は、１秒間で５回よりも少なくして液晶パネルへの充放電回数を減らし、さらに昇圧回路とアンプは、ＴＦＴ液晶画面全体をスキャンするのに要する時間よりも長い時間、動作を停止させること、以上を組み合わせる事により超低消費電力のＴＦＴ液晶駆動を実現した。
【００１６】
一般のＴＦＴ駆動回路は、コモン電極やソース電極の駆動電圧振幅を液晶パネルの特性に合わせて微調整し、カラー表示の場合はＲＧＢそれぞれの階調を６ｂｉｔ（６４階調）や８ｂｉｔ（２５６階調）にし、階調カーブを人間の視覚に合わせるためにガンマ回路を設けている。これらの電圧調整は、ＴＦＴ液晶の色再現性を良くするために必要となるが、電圧調整には電子ボリュームやアンプ回路が必要であり、超低消費電力を実現する場合にはこれら電力消費の大きい要素の搭載は避けたい。特に電子ペーパー市場を考える場合は、電力消費の大きいバックライトは使わず、反射型のＴＦＴ液晶を採用することが望ましい。また電子ペーパーに特化したＴＦＴ液晶なら、ＲＧＢを２値駆動する８色表示でも実用的であり、２値駆動だけを考慮した回路があればよい。２値駆動だけで良いなら、コモンとソースの駆動電圧は、液晶の反射率を大きく変化させられる振幅があれば良く、一般のＴＦＴ駆動回路に搭載されるような各種の電圧微調整は不要である。
【００１７】
従って、コモンの駆動波形は元電源電圧の整数倍の昇圧電位とＶＳＳ（０Ｖ）を振幅にして駆動し、またソース波形もコモンと同じ元電源電圧の整数倍の昇圧電位を用いて駆動する。但し、ソース振幅電位をコモンの振幅電位と同じにすると、たとえ液晶を交流駆動しても液晶に直流バイアスがかかるので、ソースのＬｏｗ側駆動電位だけはＶＳＳ（０Ｖ）ではなく微調整した電位を用いる。液晶画面のスキャンの周期は一般的には７０Ｈｚ程度を設定するが、超低消費電力のＴＦＴ液晶駆動では１秒間で５回（５Ｈｚ）よりも少なくして液晶パネルへの充放電回数を減らす。さらに液晶画面のスキャンとスキャンの間は、液晶駆動電位をコンデンサでバックアップすると共に昇圧回路やアンプを停止して電力消費を減らす。この昇圧回路やアンプを停止する時間が長いほど低消費電力化には効果がある。
【００１８】
まず昇圧回路やアンプを稼動し、液晶パネルの駆動に必要な電位を生成したら液晶画面全体をスキャンする。２値駆動の場合の液晶画面スキャンは、液晶の個々の画素電極にオンかオフの電圧を印加して電荷を注入、あるいは抽出することである。スキャンとスキャンの間隔が長いと画素電極に注入した電荷が抜けてくるので、液晶パネルにおいては光の透過率あるいは反射率が変わる。つまりディスプレイとしては表示の濃淡が変化する事になるので、むやみにスキャンの間隔を長くする事はできない。しかし、近年のＴＦＴ液晶パネルは、技術改良によって画素に注入した電荷の漏れが少なくなり、１秒程度のスキャン間隔でも表示の濃淡の変化は感じられなくなってきている。そこで、例えば１秒に１回程度、短時間に昇圧して液晶電位を生成し、短時間に液晶画面をスキャンした後に電源回路を停止する、という事を１秒ごとに繰り返せば、ＴＦＴ液晶駆動回路の平均的な消費電力は飛躍的に減る。
【実施例】
【００１９】
以下に、本発明を実施するための形態について、図面を参照しながら詳しく説明する。
【００２０】
一般的にＴＦＴ液晶パネルは、図２に示すようにＸ方向にＪ本のゲート信号、Ｙ方向にｋ本のソース信号が入力される。
【００２１】
その液晶パネルは２枚のガラスが液晶を挟み込む形で向かい合っており、片側ガラス面にゲート配線とソース配線が構成され、液晶を介した反対側のガラス面にはコモン電極（ＶＣＯＭ電極）が表示画面全体に配置される。図３はＴＦＴ液晶パネルのガラス面に構成された各信号配線とトランジスタ等の接続図である。液晶パネルをスキャンする時は、ゲート信号：Ｇａｔｅ（０）からＧａｔｅ（Ｊ−１）までを順番にＨｉｇｈレベル（高電圧）にしてゲート信号に接続されたトランジスタをオンさせる。例えばＧａｔｅ（０）がＨｉｇｈ  レベルの時は最上段のトランジスタがオンとなり、トランジスタに接続された画素容量Ｃｐｉｘに、Ｙ方向に加えられたソース電位が充電される。この時、２段目以降のトランジスタはオフ状態なので、２段目以降のＣｐｉｘには充電されない。
【００２２】
時間と共にＨｉｇｈレベル（高電圧）にするゲート端子を、Ｇａｔｅ（０）からＧａｔｅ（Ｊ−１）までシフトさせ、シフトする毎にｋ本のソース信号を個々に表示の内容に従って入力すると、ｋ＊ｊ個からなる画面の各画素容量に個々の電位が充電される。各画素容量Ｃｐｉｘは、液晶の表示画面全体に配置されたコモン電極（ＶＣＯＭ電極）との間に介在する容量であり、この画素容量Ｃｐｉｘに充電される電圧Ｖｐｉｘが液晶にかかる電圧となる。ゲート信号を液晶パネル全体に渡ってシフトしながら全画面の画素容量Ｃｐｉｘを充電する事で液晶パネルの表示が更新される。これを液晶画面のスキャンと称し、スキャンとスキャンの間隔を１フレームと称している。
【００２３】
一般のＴＦＴ液晶パネルは、表示の色再現性を良くするためにコモン電極やソース電極の駆動電圧振幅を液晶パネルの特性に合わせて微調整する。例えば図４に示すように、元電源電圧（３Ｖ）を２倍（６Ｖ）、６倍（１８Ｖ）、−１倍（−３Ｖ）、−４倍（−１２
Ｖ）と昇圧し、ゲート信号４３、コモン信号４２、ソース信号４１を生成するとき、コモン信号とソース信号の振幅電圧はパネルの特性に合わせて厳密に調整される。つまり昇圧した電位をそのまま使う事はない。コモン信号ＶＣＯＭの駆動電位ＶＣＯＭＨやＶＣＯＭＬ、ソース信号Ｓｏｕｒｃｅの駆動電位ＶＳＨやＶＳＬなどは、いずれも昇圧した電位をそのまま使わず、電子ボリュームとアンプで電圧を調整して生成される。そしてＲＧＢカラーの中間階調を人間の視覚に合わせるためにガンマ回路を設けたりする。
【００２４】
本発明においては、低消費電力のために２値駆動に限定しているのでＲＧＢカラーの中間階調は不要でありガンマ回路は要らない。
【００２５】
図５に示すように、元電源電圧（３Ｖ）を２倍（６Ｖ）、６倍（１８Ｖ）、−４倍（−
１２Ｖ）と昇圧し、ゲート信号５３はＶＧＨ＝１８ＶとＶＧＬ＝−１２Ｖの昇圧電位を用いて生成し、コモン信号５２はＶＣＯＭＨ＝６Ｖの昇圧電位とＶＣＯＭＬ＝０Ｖで生成し、ソース信号５１はＶＳＨ＝６Ｖの昇圧電位とＶＳＬ＝約１Ｖ（電子ボリュームとアンプによる生成電位）で生成する。図５に示す駆動波形において、コモン信号（ＶＣＯＭ）がＨｉｇｈレベルの時にゲート信号（Ｇａｔｅ）は一度ＶＧＨレベルとなり、ＶＣＯＭがＬｏｗレベルの時にもゲート信号（Ｇａｔｅ）はＶＧＨレベルとなっている。
【００２６】
これはフレーム反転モードと呼ばれる駆動方法であり、図４のタイミング図においても同様である。図４で、ＶＣＯＭがＨｉｇｈの時にＶＧＨレベルを出力する複数のゲート端子は、時間と共に画面全体の端から端へシフトしていく。ＶＧＨレベルを出力するゲート端子が、画面全体の端から端へシフトする毎に各ソース信号もＶＳＨとＶＳＬのいずれかを出力し、１フレームが終了する。続いてＶＣＯＭはＨｉｇｈからＬｏｗへ切り替わり、ＶＣＯＭに対するソース信号の極性は反転して次のフレームが始まる。極性の反転は液晶の長寿命化のために必要であり、液晶に直流バイアスが掛かる事を防いでいる。
【００２７】
１フレームごとに極性が反転するのでフレーム反転駆動と称する。
【００２８】
図１は、本発明によるＴＦＴ液晶駆動の実施例を示すブロック図である。元電源電圧（例えば３Ｖ）を２倍昇圧回路１２で６Ｖを生成し、その６Ｖから３倍昇圧回路１１で１８Ｖを生成し、またマイナス２倍昇圧回路１３で−（マイナス）１２Ｖを生成する。アンプ１４は、元電源電圧（３Ｖ）を電源とするアンプであり、基準電圧回路（Ｖｒｅｆ）で生成される電位を基準にしてＶＳＬ電位（約１Ｖ）を電子ボリューム１０で調整して生成する。
【００２９】
液晶電源ＯＮ信号がＨｉｇｈのとき、図１の昇圧回路１１，１２，１３とアンプ１４を機能させ、スイッチ１５をオンさせて各電位を外付けの電源安定用コンデンサ１６に充電する。液晶電源ＯＮ信号がＬｏｗのときは、上記昇圧回路とアンプをオフすると共にスイッチ１５をオフし、液晶駆動用の各電位はコンデンサ１６で保持する。
【００３０】
Ｇａｔｅ信号生成回路１７は、昇圧回路で生成されるＶＧＨ＝１８ＶとＶＧＬ＝−１２Ｖを振幅としたＧａｔｅ信号を、スキャン制御信号でタイミングを取りながらＧａｔｅ（０）からＧａｔｅ（ｊ−１）まで順番に生成して出力させる。ＶＣＯＭ信号生成回路１８は、昇圧回路で生成されるＶＣＯＭＨ＝６ＶとＶＣＯＭＬ＝０Ｖを振幅としたコモン信号を、スキャン制御信号でタイミングを取りながら出力させる。
【００３１】
Ｓｏｕｒｃｅ信号生成回路１９は、昇圧回路で生成されるＶＳＨ＝６Ｖとアンプ１４で生成されるＶＳＬ＝約１Ｖを振幅とし、スキャン制御信号でタイミングを取りながら、Ｓｏｕｒｃｅ（０）からＳｏｕｒｃｅ（ｋ−１）まで各画素の表示内容に合わせて生成して出力させる。
【００３２】
図６は昇圧電位と液晶駆動電位の関係を示す表であり、本発明による駆動電源要素のシンプルさを説明するものである。図６（ａ）は一般的な従来の液晶駆動電位を示す表であり、４種類の一定昇圧を行ってから、電子ボリュームとアンプの調整で４種類の電位（ＶＳＨ、ＶＣＯＭＨ、ＶＳＬ、ＶＣＯＭＬ）を生成する。一方本発明の場合は図６（ｂ）に示すように、３種類の一定昇圧を行ってから、電子ボリュームとアンプの調整で１種類の電位（ＶＳＬ）を生成する。昇圧した電位を有効に使い、電子ボリュームとアンプは最小限に抑えた構成である。
【００３３】
昇圧回路は、一般的にコンデンサを用いたチャージポンプ方式であれば昇圧効率は良いとされている。一方、電子ボリュームやアンプ等は一定電流を流しながら動作する要素なので、低消費を目的とする場合はなるべく減らしたい。そういう意味で本発明の構成要素は低消費電力駆動に適している。
【００３４】
図７は、画素容量に充電される電圧Ｖｐｉｘと液晶の反射率をグラフ化した例である。画素容量の電圧Ｖｐｉｘが０Ｖのときに反射率は約１００％となり、Ｖｐｉｘが４Ｖの時に０％付近となる。一般のＴＦＴ液晶駆動の場合は、このグラフのカーブを元に厳密に階調電圧を作り出すが、本発明の場合は２値駆動のみを考えるのでＶｐｉｘが多少大きくても構わない。従って、元電源電圧が３Ｖであれば２倍の６Ｖを駆動電位としても構わない。
【００３５】
図８は、本発明によるコモン信号とソース信号の電圧振幅の関係である。図８（ｃ）は、ＶＣＯＭとソース信号を共に６Ｖと０Ｖで駆動する場合を示している。ＶＣＯＭ電位をＨｉｇｈ側（６Ｖ）にした状態でソース電位ａをＨｉｇｈ（６Ｖ）とＬｏｗ（０Ｖ）のいずれかを印加し画素容量Ｃｐｉｘを充電する。ＶＣＯＭ電位に対するｂ点の相対的電位は０Ｖと−（マイナス）６Ｖが期待される。一方、ＶＣＯＭ電位をＬｏｗ側（０Ｖ）にした状態でソース電位ａをＬｏｗ（０Ｖ）とＨｉｇｈ（６Ｖ）のいずれかを印加すると、ＶＣＯＭ電位に対するｂ点の相対的電位は０Ｖと＋（プラス）６Ｖが期待される。このように、フレーム毎にＶＣＯＭ電位を反転させて液晶を駆動する事で交流化を図り、液晶への直流バイアスを打ち消す事が求められる。
【００３６】
しかし現実のＴＦＴ液晶パネルでは、図３に示すように画素容量の端子ｂ点は、ゲート信号との間にＣｇｄなる寄生容量が付いているので、トランジスタ３１をオフする時（充電を終了する時）にｂ点の電位が変化してしまう。つまり、ゲート電位をＶＧＨ（約１８Ｖ）からＶＧＬ（−１２Ｖ）へ変化させる時に、Ｃｐｉｘへの充電電圧が寄生容量Ｃｇｄによって、低い電位へと誘導される。その誘導電圧が約０．５Ｖだとすると、図８（ｃ）のようにソース電位ａを６Ｖ−０Ｖの振幅で駆動してもｂ点の電位はそれよりも０．５Ｖ低いほうにシフトされ、５．５Ｖと−（マイナス）０．５Ｖの振幅になる。
【００３７】
言い換えるなら、ＶＣＯＭ電位をＨｉｇｈ側（６Ｖ）にした状態でソース電位ａをＨｉｇｈ（６Ｖ）とＬｏｗ（０Ｖ）のいずれかを印加すると、ＶＣＯＭ電位に対するｂ点の相対的電位は−（マイナス）０．５Ｖと−（マイナス）６．５Ｖとなる。
【００３８】
一方、ＶＣＯＭ電位をＬｏｗ側（０Ｖ）にした状態でソース電位ａをＬｏｗ（０Ｖ）とＨｉｇｈ（６Ｖ）のいずれかを印加すると、ＶＣＯＭ電位に対するｂ点の相対的電位は−（マイナス）０．５Ｖと＋（プラス）５．５Ｖとなる。この場合、液晶を極性反転して交流駆動してもＶＣＯＭ電極に対するｂ点の電位は負（マイナス）の直流バイアスが掛かるので液晶に悪影響が生じる。
【００３９】
そこで、ソースのＬｏｗ側駆動電位ＶＳＬを図８（ｂ）のように０Ｖから１Ｖへ持ち上げて設定すると、ｂ点の電位は５．５Ｖ−０．５Ｖの振幅となりバランスが取れる。つまり、ＶＣＯＭ電位をＨｉｇｈ側（６Ｖ）にした状態でソース電位ａをＨｉｇｈ（６Ｖ）とＬｏｗ（１Ｖ）のいずれかを印加すると、ＶＣＯＭ電位に対するｂ点の相対的電位は−（マイナス）０．５Ｖと−（マイナス）５．５Ｖとなる。
【００４０】
一方、ＶＣＯＭ電位をＬｏｗ側（０Ｖ）にした状態でソース電位ａをＬｏｗ（１Ｖ）とＨｉｇｈ（６Ｖ）のいずれかを印加すると、ＶＣＯＭ電位に対するｂ点の相対的電位は＋（プラス）０．５Ｖと＋（プラス）５．５Ｖとなる。この場合、同じ電圧値が極性を変えて生成されるので、液晶を交流駆動する事により液晶への直流バイアスが打ち消される。画素容量にかかる電圧Ｖｐｉｘが０．５Ｖと５．５Ｖなので、図７のグラフで示すと反射率１００％付近のポイント７１と反射率５％付近のポイント７２の特性差で液晶表示する事になる。
【００４１】
さらに、ソースのＬｏｗ側駆動電位ＶＳＬを図８（ａ）のように２Ｖにまで持ち上げて設定すると、ｂ点の電位は５．５Ｖ−１．５Ｖの振幅となって再びバランスが崩れる。つまり、ＶＣＯＭ電位をＨｉｇｈ側（６Ｖ）にした状態でソース電位ａをＨｉｇｈ（６Ｖ）とＬｏｗ（２Ｖ）のいずれかを印加すると、ＶＣＯＭ電位に対するｂ点の相対的電位は−（マイナス）０．５Ｖと−（マイナス）４．５Ｖとなる。一方、ＶＣＯＭ電位をＬｏｗ側（０Ｖ）にした状態でソース電位ａをＬｏｗ（２Ｖ）とＨｉｇｈ（６Ｖ）のいずれかを印加すると、ＶＣＯＭ電位に対するｂ点の相対的電位は＋（プラス）１．５Ｖと＋（プラス）５．５Ｖとなる。
【００４２】
この場合は、液晶を交流駆動してもＶＣＯＭ電極に対するｂ点の電位は正（プラス）に直流バイアスが掛かるので再び液晶に悪影響が生じる。
【００４３】
このように、ソースのＬｏｗ側駆動電位ＶＳＬの調整は、直流バイアスを回避する為に必要であり、ＶＳＬを調整する為の電子ボリュームとアンプは必要である。
【００４４】
図９は、本発明による低消費電力化を説明するものである。本発明のＴＦＴ液晶駆動は、画面のスキャン頻度を１秒間で５回（５Ｈｚ）よりも少なくして液晶パネルへの充放電回数を減らす。図９は、スキャンの頻度が１秒間に１回（１Ｈｚ）という遅い例を示しているが、液晶表示の濃淡変化がなければ十分に実用的である。まず昇圧回路とアンプをオンして昇圧電位とソースのＬｏｗ側駆動電位を生成し、続いて液晶画面のスキャンを行う。
【００４５】
昇圧回路をオンしてから液晶画面のスキャンまでを仮に５０ｍＳＥＣで行えるならば、次のスキャン開始までの９５０ｍＳＥＣは休止させる事ができる。液晶電源ＯＮ信号を５０ｍＳＥＣ間Ｈｉｇｈにして昇圧電位を生成し、残りの９５０ｍＳＥＣ間は液晶電源ＯＮ信号をＬｏｗにして昇圧電位を外部コンデンサで保持する。１秒に１回の昇圧は、９５０ｍＳＥＣ間に降下するコンデンサ電位を持ち上げるだけなので、大きな起動電力は必要ない。５０ｍＳＥＣは１秒の１／２０なので、５０ｍＳＥＣのオン時間の消費電流が２００ｕＡとするなら、駆動回路の平均消費電流値は１０ｕＡと計算される。
【００４６】
一般的に、ＴＦＴ液晶駆動回路の消費電流は駆動時に２００ｕＡを超えるのが普通である。しかし、２値駆動に限定して駆動方法を考えるなら、コモン信号やソース信号の駆動電位は昇圧電位そのままを用いれば良いので消費電流は減る。電子ボリュームやアンプ回路は、ソース信号のＬｏｗ側駆動電位を除く全てを無くし、またガンマ回路も不要とすればＴＦＴ液晶駆動回路の消費電流は激減する。さらに画面のスキャン頻度を１秒間で５回（５Ｈｚ）よりも少なくして液晶パネルへの充放電回数を減らし、必要以外の時間を休止として液晶電源の生成を停止させれば、もはやこのＴＦＴ液晶パネルの消費電力は電子ペーパーの領域と同等になる。
【００４７】
本発明を用いれば、既に量産効果が発揮されて安価に入手できるＴＦＴ液晶パネルを、超低消費電力の応用分野に利用する事ができる。たとえば電子ブックや電子棚札、電子腕時計や掛け時計、電子辞書やＰＤＡなど、電池寿命を重視するあらゆる分野でこの超低消費電力ＴＦＴ液晶駆動が応用でき、また動作温度範囲もマイナス２０度からプラス５０度程度まで、安定して表示駆動できるというＴＦＴ液晶のメリットを生かせるという効果がある。
【符号の説明】
【００４８】
１１  ３倍昇圧回路
１２  ２倍昇圧回路
１３  マイナス２倍昇圧回路
１４  アンプ
１５  スイッチ
１６  電源安定用コンデンサ
１７  Ｇａｔｅ信号生成回路
１８  ＶＣＯＭ信号生成回路
１９  Ｓｏｕｒｃｅ信号生成回路
３１  トランジスタ
４１  ソース信号
４２  コモン信号
４３  ゲート信号
５１  ソース信号
５２  コモン信号
５３  ゲート信号
７１  反射率１００％付近のポイント
７２  反射率５％付近のポイント
【図１】
2011085801.tif 000003
【図２】
2011085801.tif 000004
【図３】
2011085801.tif 000005
【図４】
2011085801.tif 000006
【図５】
2011085801.tif 000007
【図６】
2011085801.tif 000008
【図７】
2011085801.tif 000009
【図８】
2011085801.tif 000010
【図９】
2011085801.tif 000011